(57)【要約】【課題】１つのディスプレイで同時に複数の番組を複数の視聴者で視聴するとき、それぞれの視聴者は所望の番組の音のみを聞くことができるようにした放送受信装置を提供する。【解決手段】放送受信装置１は、第１，第２のスピーカ１３Ａ，１３Ｂがディスプレイ１２の左右に配置され、スピーカ１３Ａ，１３Ｂの近傍には消音用の第３，第４のスピーカ１４Ａ，１４Ｂが配置されている。ディスプレイ１２には、第１，第２の画面１６，１７を同時に左右に表示することができ、スピーカ１４Ａを反対側のスピーカ１３Ｂに対して、また、スピーカ１４Ｂを反対側のスピーカ１３Ａに対してそれぞれ逆位相で駆動することにより、視聴者１８にはスピーカ１３Ｂからの音が低減され、視聴者１９にはスピーカ１３Ａからの音が低減される。【選択図】図１
2008011253.tif 000002
【特許請求の範囲】
【請求項１】
第１の放送番組の画像を左側に表示し、第２の放送番組を右側に表示する表示手段と、
前記第１の放送番組の第１の音声を出力する第１のスピーカと、
前記第２の放送番組の第２の音声を出力する第２のスピーカと、
前記表示手段の左側前方において前記第１の音声の出力レベルを前記第２の音声の出力レベルより大にし、前記表示手段の右側前方において前記第２の音声の出力レベルを前記第１の音声の出力レベルより大にする制御手段を備えたことを特徴とする放送受信装置。
【請求項２】
前記第１のスピーカは、前記第１の音声を出力する第１の主スピーカと、前記第２の音声を相殺する第１の補助スピーカを含み、
前記第２のスピーカは、前記第２の音声を出力する第２の主スピーカと、前記第１の音声を相殺する第２の補助スピーカを含むことを特徴とする請求項１に記載の放送受信装置。
【請求項３】
前記制御手段は、前記第１の補助スピーカと前記第２の主スピーカの音声出力の位相を逆位相とし、前記第２の補助スピーカと前記第１の主スピーカの音声出力の位相を逆位相にすることを特徴とする請求項２に記載の放送受信装置。
【請求項４】
前記制御手段は、前記第１の補助スピーカ及び前記第２の主スピーカと前記表示手段の前記左側前方の所定の位置との距離に応じて前記第１の補助スピーカの音声信号に所定の遅延量を付与し、
前記第２の補助スピーカ及び前記第１の主スピーカと前記制御手段の前記右側前方の所定の位置との距離に応じて前記第２の補助スピーカの音声信号に所定の遅延量を付与することを特徴とする請求項２に記載の放送受信装置。
【請求項５】
前記制御手段は、前記表示手段の左側前方の所定の位置において前記第２のスピーカの音声出力レベルを聴取できないレベルに設定し、前記表示手段の右側前方の所定の位置において前記第１のスピーカの音声出力レベルを聴取できないレベルに設定することを特徴とする請求項１に記載の放送受信装置。
【請求項６】
前記制御手段は、前記第１及び第２のスピーカから前記表示手段の前記左側前方及び前記右側前方の所定の位置までの距離を実測し、当該距離に応じて前記所定の遅延量を定めることを特徴とする請求項４に記載の放送受信装置。
【請求項７】
前記制御手段は、前記所定の位置で発生した音が前記表示手段の近傍に到達する到達時間に基づいて前記距離を実測することを特徴とする請求項６に記載の放送受信装置。
【発明の詳細な説明】
【技術分野】
【０００１】
本発明は、２つの放送番組の受信画像を１つのディスプレイに同時に表示可能な放送受信装置に関する。
【背景技術】
【０００２】
ＴＶが、専用のオーディオ装置と同等の性能及び機能を有する様になると、オーディオ装置による視聴や音楽鑑賞と同等の雰囲気が求められ、例えば、リビングルームに設置されたＴＶを利用しているとき、聴きたい音楽以外の生活騒音、例えば、ダイニングスペースからの人の声や音等を排除したいという要望がある。
【０００３】
この種の要望に応えるものとして、例えば、特許文献１に示されるテレビシステムがあり、フロントスピーカから再生音を出力しているときに、フロントスピーカから出力される音に対して逆位相の音をリアスピーカから出力してフロントスピーカからの音を減衰させ、リビングスペースでＴＶを視聴しても、ダイニングスペースではＴＶの音を聴き難くすることができる。
【０００４】
一方、比較的大きな画面サイズのディスプレイを有する従来のテレビ受像機として、複数のチャンネル（または番組）の画面を同時に表示できる様にした、ピクチャー・イン・ピクチャー、ピクチャー・バイ・ピクチャー、２つの画面を左右に表示するデュアルウィンドウ等の機能を備えた機種がある。
【特許文献１】特開２００４−７０３９号公報
【発明の開示】
【発明が解決しようとする課題】
【０００５】
しかし、従来のテレビ受像機によると、ディスプレイに同時に画像出力されている複数の番組の放送を複数の視聴者が別々に視聴しようとすると、それぞれの番組の音（音声及び音楽）が同時に出力されるため、各視聴者にとっては視聴しない番組の音が耳障りになったり、聴きたい番組の音が聞き取りにくくなる。
【０００６】
従って、本発明の目的は、１つのディスプレイで同時に複数の番組を複数の視聴者で視聴するとき、それぞれの視聴者は所望の番組の音のみを聞くことができるようにした放送受信装置を提供することにある。
【課題を解決するための手段】
【０００７】
本発明は、上記目的を達成するため、第１の放送番組の画像を左側に表示し、第２の放送番組を右側に表示する表示手段と、前記第１の放送番組の第１の音声を出力する第１のスピーカと、前記第２の放送番組の第２の音声を出力する第２のスピーカと、前記表示手段の左側前方において前記第１の音声の出力レベルを前記第２の音声の出力レベルより大にし、前記表示手段の右側前方において前記第２の音声の出力レベルを前記第１の音声の出力レベルより大にする制御手段を備えたことを特徴とする放送受信装置を提供する。
【発明の効果】
【０００８】
本発明の放送受信装置によれば、１つのディスプレイで同時に複数の番組を複数の視聴者で視聴するとき、それぞれの視聴者は所望の番組の音のみを聞くことがことができる。
【発明を実施するための最良の形態】
【０００９】
（放送受信装置の構成）
図１は、本発明の実施の形態に係る放送受信装置の概略を示す。放送受信装置１は、筐体１１の正面に液晶ディスプレイやプラズマディスプレイを用いたディスプレイ１２、左右各２つの第１，第２のスピーカ１３Ａ，１３Ｂ（第１，第２の主スピーカ），第３，第４のスピーカ１４Ａ，１４Ｂ（第１，第２の補助スピーカ）、複数の操作ボタン１５、及びリモートコントローラ（以下、「リモコン」という）２等を備えて構成されたＴＶ受像機である。
【００１０】
リモコン２は、モード設定、選局、音量調整、放送受信装置１と視聴者１８，１９との間の距離を設定するための距離設定等のボタンを備え、ボタンの操作に応じた赤外光による光信号を出力できるように構成されている。更に、リモコン２は、図示しないマイクを備えており距離設定時にユーザーにより発せられた音に関するデータを放送受信装置１へ送信する機能を備えている。
【００１１】
筐体１１内には、アンテナからの電波を受信してディスプレイ１２に画像表示すると共にオーディオ信号を出力する受信回路を内蔵しており、第１及び第２の番組（チャンネル）に対応する第１の画面１６，１７をディスプレイ１２に同時に出力できるように構成されており、例えば、図１に示すように、第１の画面１６が視聴者１８により、第１の画面１７が視聴者１９により視聴できる様になっている。
【００１２】
第１〜第４のスピーカ１３Ａ，１３Ｂ，１４Ａ，１４Ｂは同一仕様でよいが、第１，第２のスピーカ１３Ａ，１３Ｂは通常のステレオまたはモノラルのオーディオ出力用であり、第４，第５のスピーカ１４Ａ，１４Ｂは視聴者が視聴する番組以外の音を低減するための逆位相のオーディオ出力用のスピーカである。
【００１３】
操作ボタン１５は、電源ボタン、音量調整ボタン、選局ボタン、モード設定ボタン、距離設定ボタン等からなり、ユーザーによって操作できるようになっている。
【００１４】
（放送受信装置の回路構成）
図２は、放送受信装置の回路構成を示す。放送受信装置１は、ＣＰＵ等を備えて構成された主制御部２１を主体に構成されており、主制御部２１には、アンテナ２１を介して放送局からの電波を受信する受信部２２、リモコン受信部２３、表示制御部２４、マイク２６が接続された位置検出用増幅器２５、及び音声出力部５が接続されている。ここで、主制御部２１及び表示制御部２４により、表示手段が構成されている。
【００１５】
主制御部２１は、ＣＰＵ、ＲＯＭ等を備えて構成され、上記ＲＯＭに格納されたプログラムに従ってネットワーク対応ＴＶ５における全体の統括・管理を行うと共に、リモコン２の操作内容に基づいて、番組の選択、音量調節等を実行する回路構成を有している。
【００１６】
受信部２２は、ＶＨＦバンド、ＵＨＦバンド、衛星放送バンド等の放送を受信するチューナを少なくとも２系統備えると共に、各系統がビデオ信号及びオーディオ信号を生成する回路構成を備えている。
【００１７】
リモコン受信部２３は、リモコン２からの光信号を復調して操作信号を生成し、主制御部２１へ出力する赤外線送信回路を搭載している。また、リモコン受信部２３は、放送受信装置１の前面と視聴者１８，１９との間の距離に関する情報を出力できるように構成されている。
【００１８】
表示制御部２４は、受信部２２によるビデオ信号によりディスプレイ１２を表示駆動するための回路構成を備えている。
【００１９】
位置検出用増幅器２５は、マイク２６からの音を増幅して主制御部２１へ位置検出用のオーディオ信号を出力する回路である。
【００２０】
（音声出力部の構成）
音声出力部５は、左オーディオ増幅器５１、右オーディオ増幅器５２、逆位相生成回路５３，５４、第１，第２の遅延回路としての遅延回路５５，５６、及び出力増幅器５７〜６０を備えて構成されている。
【００２１】
左オーディオ増幅器５１及び右オーディオ増幅器５２は同一回路構成であり、アナログによるステレオの左側及び右側のオーディオ信号を個別に所定レベルにまで増幅する回路である。
【００２２】
逆位相生成回路５３，５４は同一回路構成であり、遅延回路５５，５６に出力するオーディオ信号の波形位相に対し逆（１８０度）の位相差を有する信号を生じさせる回路構成を有している。
【００２３】
出力増幅器５７〜６０は同一の回路構成を有している。出力増幅器５７，５８は左右のオーディオ増幅器５１，５２からのオーディオ信号を電力増幅して第１，第２のスピーカ１３Ａ，１３Ｂを駆動する。また、出力増幅器５９，６０は、遅延回路５５，５６からのオーディオ信号を電力増幅して、第３，第４のスピーカ１４Ａ，１４Ｂを駆動する回路である。
【００２４】
遅延回路５５，５６は、逆位相生成回路５３，５４で生成したオーディオ信号が、左右のオーディオ増幅器５１，５２からのオーディオ信号に対して１８０°の位相差を生じるように、逆位相生成回路５３，５４からのオーディオ信号を遅延させるように構成された回路である。
【００２５】
（放送受信装置の動作）
図３は、放送受信装置におけるスピーカの音響出力の方向性を示す。図１〜図３を参照して放送受信装置１の動作を説明する。なお、放送受信装置１に対して、視聴者１８は第１のスピーカ１３Ａの延長線上に、視聴者１９は、第２のスピーカ１３Ｂの延長線上で視聴するのが望ましい。
【００２６】
図１に示すように、視聴者１８，１９の２人が放送受信装置１により別々の番組を視聴する場合、リモコン２を操作して２画面表示モードにし、更に、視聴者１８，１９が視聴したい番組（チャンネル）を選局する。この操作により、選局された番組の電波は、受信部２２によって受信され、番組毎にビデオ信号及びオーディオ信号に復調され、各信号は主制御部２１に出力される。
【００２７】
主制御部２１は、受信部２２により処理された２つの番組のビデオ信号を表示制御部２４へ送り、図１に示すように、ディスプレイ１２に２つの番組の画面１６，１７を第１及び第２の画面として表示する。一方、２つの番組のオーディオ信号は、主制御部２１によって、第１の画面１６に対応するオーディオ信号は左オーディオ増幅器５１に印加され、出力増幅器５７によって第１のスピーカ１３Ａが駆動される。第１の画面１７に対応するオーディオ信号は右オーディオ増幅器５２に印加され、出力増幅器５８によって第２のスピーカ１３Ｂが駆動される。
【００２８】
この状態では、視聴者１８，１９のそれぞれには、２つの番組の音声（音楽等を含む、以下、音声という）が同時に聞こえており、見たい番組の音声を聞き分けることが難しい。そこで、視聴者１８，１９が正面の画面に対応した音声のみを聞くことができる音声干渉防止モードを設定する。この音声干渉防止モードの設定は、視聴者１８，１９のいずれかが、リモコン２または操作ボタン１５を操作して行う。
【００２９】
音声干渉防止モードを設定した後、ユーザーは、操作ボタン１５またはリモコン２を操作して、放送受信装置１と視聴者１８，１９の距離を設定する。リモコン２を用いた場合、距離設定ボタンを押した後、視聴者１８，１９のいずれかが１回手を叩く。この音はリモコン２に内蔵のマイクに集音され、その音の発生タイミングで検知信号が光信号に変換され、リモコン２から放送受信装置１へ送信される。同時に、手を叩いた音は、放送受信装置１のマイク２６に集音される。なお、視聴者１８，１９の聴取位置が、放送受信装置１の前面に対して異なる場合、視聴者１８，１９のそれぞれがリモコン２を操作すると共に、手を叩いて距離を設定する。
【００３０】
放送受信装置１は、リモコン２からの距離に関する信号の受信タイミングから、マイク２６が手を叩いた音を集音した時点までの時間を主制御部２１によって計測し、これを放送受信装置１の前面と視聴者１８，１９の間の距離相当の遅延時間ｔｄとする。視聴者１８，１９が個別に距離設定を行ったときには、それぞれに対応する遅延時間ｔｄが計測される。
【００３１】
放送受信装置１では、出力増幅器５７，５８に出力されるオーディオ信号に対し、位相を１８０°異ならせたオーディオ信号を逆位相生成回路５３，５４によって生成し、遅延回路５５，５６へ出力する。遅延回路５５，５６は、逆位相生成回路５３，５４からのオーディオ信号に遅延時間ｔｄの遅れを持たせて出力増幅器５９，６０へ出力する。なお、遅延時間ｔｄが２つの場合、遅延回路５５，５６に個別に遅延時間ｔｄが設定される。
【００３２】
出力増幅器６０により駆動される第３のスピーカ１４Ａの音響出力は、出力増幅器５７により駆動される第１のスピーカ１３Ａの下側から放射される。第２のスピーカ１３Ｂからの音は、第３のスピーカ１４Ａからの音と位相が１８０°異なるために第３のスピーカ１４Ａによって打ち消され、視聴者１８には右側の音、即ち、第１の画面１７側の音が低減され、第１のスピーカ１３Ａの音が良好に聞こえるようになる。
【００３３】
一方、出力増幅器５９により駆動される第４のスピーカ１４Ｂの音声出力は、出力増幅器５８により駆動される第２のスピーカ１３Ｂの下側から放射される。第１のスピーカ１３Ａからの音は、第４のスピーカ１４Ｂからの音と位相が１８０°異なるため、第４のスピーカ１４Ｂによって打ち消され、視聴者１９には左側の音、即ち、第１の画面１６側の音が低減され、第２のスピーカ１３Ｂの音が良好に聞こえるようになる。
【００３４】
以上により、図３に示すように、視聴者１８に対しては第１の音場３が形成され、視聴者１９に対しては第２の音場４が形成される。なお、放送受信装置１と視聴者１８，１９の距離を設定した後では、最初の位置より後方に移動しても、距離の再設定は殆ど必要ない。
【００３５】
（実施の形態の効果）
本実施の形態によれば、下記の効果を奏する。
（イ）視聴者１８，１９が、ディスプレイ１２上のマルチ画面（第１，第２の画面１６，１７）のそれぞれを個別に視聴する場合でも、番組毎に音場を形成して音声を視聴者１８，１９へ届けることができるので、視聴者１８，１９は他の番組の音声に邪魔されることなく番組を楽しむことができる。
（ロ）視聴者１８，１９ごとに距離設定を行えば、最適な消音を視聴者ごとに得ることができる。
【００３６】
また、上記実施の形態においては、視聴者からスピーカまでの距離をリモコン２や操作ボタン１５を操作して行うものとしたが、放送受信装置１に超音波距離センサ等を搭載し、定期的に視聴者の位置や距離を測定し、遅延回路５５，５６の遅延時間を更新するようにしてもよい。
【００３７】
［他の実施の形態］
なお、本発明は、上記実施の形態に限定されず、本発明の技術思想を逸脱あるいは変更しない範囲内で種々な変形が可能である。例えば、左右のスピーカ１３Ａ，１３Ｂは、ツィータ、スコーカ、ウーハ等の２以上からなるマルチスピーカの構成にすることができる。更に、第３，第４のスピーカ１４Ａ，１４Ｂは、第１，第２のスピーカ１３Ａ，１３Ｂの下側に配置したが、逆の配置であってもよいし、横に配置されていてもよい。
【図面の簡単な説明】
【００３８】
【図１】本発明の実施の形態に係る放送受信装置の概略を示す構成図である。
【図２】放送受信装置の回路構成を示すブロック図である。
【図３】放送受信装置におけるスピーカの音響出力の方向性を示す説明図である。
【符号の説明】
【００３９】
１  放送受信装置
２  リモコン
３  第１の音場
４  第２の音場
５  音声出力部
１２  ディスプレイ
１３Ａ  第１のスピーカ
１３Ｂ  第２のスピーカ
１４Ａ  第３のスピーカ
１４Ｂ  第４のスピーカ
１６  第１の画面
１７  第２の画面
１８，１９  視聴者
２１  主制御部
２２  受信部
２３   リモコン受信部
２４  表示制御部
２５  位置検出用増幅器
２６  マイク
５１  左オーディオ増幅器
５２  右オーディオ増幅器
５３，５４  逆位相生成回路
５５，５６  遅延回路
５７〜６０  出力増幅器
【図１】
2008011253.tif 000003
【図２】
2008011253.tif 000004
【図３】
2008011253.tif 000005